(57)【特許請求の範囲】
【請求項１】
装置本体を覆う、一対の筐体と、
上記一対の筐体の組み付け方向と略直交方向の軸心回りに回動自在な第１の蓋部材と、
上記一対の筐体の組み付け方向と略直交方向の軸心回りに回動自在な第２の蓋部材と、
上記第１の蓋部材の回転軸となる第１の軸部材と、
上記第２の蓋部材の回転軸となる第２の軸部材と、
を有し、上記第１の軸部材と第２の軸部材とは、互いに上記筐体の異なる位置に配置され、上記一対の筐体には上記第１、第２の軸部材がそれぞれ挿通する軸穴部と、上記第１の蓋部材には上記第１の軸部材が挿通する軸穴部と、上記第２の蓋部材には上記第２の軸部材が挿通する軸穴部が設けられ、上記第１の軸部材は、上記一対の筐体、および、上記第１の蓋部材の上記軸穴部に挿通され、さらに、上記第２の軸部材は、上記一対の筐体、および、上記第２の蓋部材の上記軸穴部に挿通されることを特徴とする筐体装置。
【発明の詳細な説明】
【０００１】
【発明の属する技術分野】
本発明は、装置本体を覆う筐体装置の構造に関する。
【０００２】
【従来の技術】
従来の装置本体を覆う外装である筐体装置として、例えば、カメラ等の筐体は、通常、カメラの前側を覆う前カバーと、後側を覆う後カバーというように、大きく分けて２つ部材からなり、さらに、上記前カバー、後カバーに加えてフィルムを装填するための開口部を開閉する後蓋や、電池を装填するための開口部を開閉する電池蓋などが上記前，後カバーに装着されている。そして、上記前カバーと後カバーとはビス等により固定されている。
【０００３】
【発明が解決しようとする課題】
しかしながら、上述の従来のカメラ等の筐体のように、前カバーと後カバーを固定するためにビスを用いるものでは、筐体の４隅をビス止めする必要があり、組み立て作業の煩わしさは、避けられなかった。さらに、ビス止めするためには、ビス用のネジ穴などのために多くのスペースを必要とし、カメラ等の機器の小型化を妨げていた。
【０００４】
本発明は、上述のような事情に鑑み、筐体を固定するためのビスの使用本数を削減もしくは廃止し、組み立て易くすると共に装置の小型化が可能となる筐体装置を提供することを目的とする。
【０００５】
【課題を解決するための手段】
本発明の筐体装置は、装置本体を覆う、一対の筐体と、上記一対の筐体の組み付け方向と略直交方向の軸心回りに回動自在な第１の蓋部材と、上記一対の筐体の組み付け方向と略直交方向の軸心回りに回動自在な第２の蓋部材と、上記第１の蓋部材の回転軸となる第１の軸部材と、上記第２の蓋部材の回転軸となる第２の軸部材と、を有し、上記第１の軸部材と第２の軸部材とは、互いに上記筐体の異なる位置に配置され、上記一対の筐体には上記第１、第２の軸部材がそれぞれ挿通する軸穴部と、上記第１の蓋部材には上記第１の軸部材が挿通する軸穴部と、上記第２の蓋部材には上記第２の軸部材が挿通する軸穴部が設けられ、上記第１の軸部材は、上記一対の筐体、および、上記第１の蓋部材の上記軸穴部に挿通され、さらに、上記第２の軸部材は、上記一対の筐体、および、上記第２の蓋部材の上記軸穴部に挿通されることを特徴とする。
【０００８】
【発明の実施の形態】
以下、図を用いて本発明の実施の形態について説明する。
図１は、本発明の第１の実施形態の筐体装置であるカメラの外装カバー装置の分解斜視図であり、図２は、上記外装カバー装置の背面図である。
【０００９】
本実施形態の外装カバー装置は、主に装置本体であるカメラ本体（図示せず）の前方部と後方部を覆う一対の筐体である前カバー１および後カバー２と、蓋部材である後蓋３と、筐体，後蓋固定用軸部材である結合ピン４と、カバー締結用ビス５，６とで構成される筐体装置である。なお、前カバー１と後カバー２の組み付け方向（筐体組み付け方向）をＤ方向とする。
【００１０】
上記前カバー１には、レンズ鏡筒開口部１ａと、レリーズ釦穴１ｂと、組み付け方向Ｄの略直交方向に沿う同一軸心の軸穴部である結合ピン４の圧入穴部１ｃおよび貫通穴部１ｄと、上記穴部とは異なる位置にビス５，６が螺合する２つのネジ穴１ｅ，１ｆ等が設けられている。上記ネジ穴１ｅ，１ｆは、予め、ネジを切ってあるものでもよく、ビス５，６にセルフタップビスを用いれば、そのビスに対応した下穴径の穴でもよい。
【００１１】
上記後カバー２には、フィルム装填用開口部２ａと、ファインダ窓開口部２ｇと、組み立て状態で上記穴部１ｃ，１ｄと同一軸心の貫通穴部２ｃ，２ｄと、ビス５，６が挿通する２つのビス穴２ｅ，２ｆとが設けられている。なお、前カバー１の貫通穴部１ｄと後カバー２の貫通穴部２ｃ，２ｄとは、結合ピン４に対して挿通可能な穴部とするが、圧入寸法の穴部であってもよい。
【００１２】
上記後蓋３は、上記フィルム装填用開口部２ａを閉鎖する位置と開放する位置に上記結合ピン４を回転軸として回動可能な蓋部材であり、組み合わせ状態で上記穴部２ｃ，２ｄと対向する同一軸心の軸穴部であって、結合ピンが回動可能に嵌合する貫通穴部３ｃ，３ｄと、装填されたフィルムの確認用のパトローネ窓３ａと、上記閉鎖状態を保持するための周知のロック機構の爪部等が設けられている。
【００１３】
上述のカメラの外装カバー装置を組み立てるには、まず、図示しないカメラ本体やレンズ鏡筒を組み付けた前カバー１の背面側に後カバー２、さらに、後蓋３を重ね合わせる。その状態で同一軸上にある前カバーの穴部１ｄ，後カバーの穴部２ｃ，２ｄ、後カバーの穴部３ｃ，３ｄに対して結合ピン４を上記穴部１ｄ側からガタの無い状態で挿入し、最後に上記結合ピン先端を前カバー１の穴部１ｃに圧入して固定状態とする。
【００１４】
その後、ビス５，６を後カバーのビス穴部２ｅ，２ｆを挿通させ、前カバーのネジ穴１ｅ，１ｆに螺着して固定する。この組み付け状態で前カバー１と後カバー２とが一体固着され、後蓋３は、上記後カバー２に対して結合ピン４を介してフィルム装填用開口部２ａの閉鎖，開放位置に回動可能状態で支持される。なお、後蓋３の穴部３ｃ，３ｄの間の部分の結合ピン４は、ストラップ取り付け軸として利用される。
【００１５】
本実施形態の外装カバー装置によれば、１本の結合ピン４と２本のビスにより前カバー１と後カバー２を固定し、かつ、後蓋３に後カバー２を回動可能に取り付けることができるのでビスの使用本数を削減することができ、組み付けが容易になる。さらに、カバー内部に上記２本のビス以外の配設スペ−スを設ける必要がなく、装置の小型化が可能となる。
【００１６】
なお、上記結合ピン４は、圧入により前カバー１に固定されたが接着により固定する構造を採用してもよい。また、上記前カバー１と後カバー２とを組み立て接合させた状態で任意の箇所を当て付け、その他の接合部分はゴムパッキングを挟むような密閉構造を採用することも可能である。
【００１７】
さらに、上記前カバー１のネジ穴１ｅ，１ｆおよび後カバー２のビス穴２ｅ，２ｆに代えて前カバー１，後カバー２に係止用凸部と凹部を設けるようにして、その凹凸部を係合させた状態で上記係合ピン４を挿入，固定して組み付ける構造を採用することも可能である。この変形例の場合、ネジ止め作業が不要であり、組み立てがさらに容易になる。
【００１８】
次に、本発明の第２の実施形態の筐体装置である外装カバー装置について説明する。
図３は、上記第２の実施形態のカメラの外装カバー装置の分解斜視図であり、図４は、上記外装カバー装置の背面図である。
【００１９】
本実施形態の外装カバー装置は、主に装置本体であるカメラ本体（図示せず）の前方部と後方部を覆う一対の筐体である前カバー１１および後カバー１２と、蓋部材である後蓋１３と、筐体と後蓋固定用軸部材である結合ピン１４と、筐体固定用軸部材１５とで構成される筐体装置である。なお、前カバー１１と後カバー１２の組み付け方向（筐体組み付け方向）をＤ方向とする。
【００２０】
上記前カバー１１には、レンズ鏡筒開口部１１ａと、レリーズ釦穴１１ｂと、両側方の位置に設けられ、組み付け方向Ｄに対して略直交方向に沿うそれぞれが同一軸方向の軸穴部であって、上記結合ピン１４が圧入可能な穴部１１ｃと貫通可能な穴部１１ｄと、さらに、結合ピン１５が圧入可能な穴部１１ｅと貫通可能な穴部１１ｆ等が設けられている。
【００２１】
上記後カバー１２には、フィルム装填用開口部１２ａと、ファインダ窓開口部１２ｇと、組み合わせ状態で上記穴部１１ｃ，１１ｄと１１ｅ，１１ｆに対向するそれぞれが同一軸方向の軸穴部である貫通穴部１２ｃ，１２ｄ、および、１２ｅ，１２ｆとが設けられている。なお、前カバー１１の貫通穴部１１ｄ，１１ｆと後カバー１２の貫通穴部１２ｃ，１２ｄ，１２ｅ，１２ｆは、結合ピン１４，１５に対して挿通可能な穴部とするが、圧入寸法の穴部であってもよい。
【００２２】
上記後蓋１３は、上記フィルム装填用開口部１２ａを閉鎖する位置と開放する位置に上記結合ピン１４を回転軸として回動可能な蓋部材であり、組み合わせ状態で上記穴部１２ｃ，１２ｄに対向する同一軸穴部であって、結合ピン１４が回動可能に嵌合する貫通穴部１３ｃ，１３ｄと、装填されたフィルムの確認用のパトローネ窓１３ａと、上記閉鎖状態を保持するための周知のロック機構の爪部等が設けられている。
【００２３】
上述のカメラの外装カバー装置を組み立てるには、まず、図示しないカメラ本体やレンズ鏡筒を組み付けた前カバー１１の背面側に後カバー１２、さらに、後蓋１３を重ね合わせる。その状態で同一軸上にある前カバーの穴部１１ｄと後カバーの穴部１２ｃ，１２ｄと後蓋の穴部１３ｃ，１３ｄに結合ピン１４を上記穴部１１ｄ側からガタの無い状態で挿入し、先端部を前カバーの穴部１１ｃに圧入して固定する。
【００２４】
同様に反対側の前カバーの穴部１１ｆと後カバーの穴部１２ｆに結合ピン１５を上記穴部１１ｆ側からガタの無い状態で挿入し、先端部を前カバーの穴部１１ｅに圧入して固定する。
【００２５】
この組み付けにより前カバー１１と後カバー１２とが一体固着され、後蓋１３は、上記後カバー１２に対して結合ピン１４によりフィルム装填開口部１２ａを閉鎖、または、開放する位置に回動可能状態で取り付けられ、外装カバー装置として完成される。
【００２６】
本実施形態の外装カバー装置によれば、ビスを用いることなく、２本の結合ピン１４，１５のみで前カバー１１と後カバー１２を固定し、かつ、後カバー１２に後蓋１３を回動可能に取り付けることができ、ビスの締め付け作業が不要となり、組み付けが容易になる。同時にカバー内部にビスの配設スペ−スを設ける必要がなく、装置の小型化が可能となる。
【００２７】
また、前記第１の実施形態の場合と同様に上記前カバー１１と後カバー１２とを組み立て接合させた状態で任意の箇所を当て付け、その他の接合部分はゴムパッキングを挟むような密閉構造を採用することも可能である。
【００２８】
次に、本発明の第３の実施形態の筐体装置である外装カバー装置について説明する。
図５は、上記第３の実施形態のカメラの外装カバー装置の分解斜視図であり、図６は、上記外装カバー装置の背面図である。
【００２９】
本実施形態の外装カバー装置は、主に装置本体であるカメラ本体（図示せず）の前方部と後方部を覆う一対の筐体である前カバー２１および後カバー２２と、第１の蓋部材である後蓋２３、および、第２の蓋部材である電池蓋２６と、筐体，後蓋固定，支持用の第１の軸部材である結合ピン２４と、筐体と電池蓋固定，支持用の第２の軸部材である結合ピン２５とで構成される筐体装置である。なお、前カバー２１と後カバー２２の組み付け方向（筐体組み付け方向）をＤ方向とする。
【００３０】
上記前カバー２１には、レンズ鏡筒開口部２１ａと、レリーズ釦穴２１ｂと、電池室開口部２１ｈを有する電池室２１ｇと、両側方位置に設けられ、組み付け方向Ｄに対して略直交方向に沿うそれぞれが同一軸方向の軸穴部であって、結合ピン２４が圧入または貫通可能な穴部２１ｃ，２１ｄ、および、結合ピン２５が圧入または貫通可能な電池室側の穴部２１ｅ，２１ｆ等が設けられている。
【００３１】
上記後カバー２２には、フィルム装填用開口部２２ａと、ファインダ窓開口部２２ｇと、組み合わせ状態で上記穴部２１ｃ，２１ｄと２１ｅ，２１ｆに対向するそれぞれが同一軸方向の穴部である貫通穴部２２ｃ，２２ｄ、および、２２ｅ，２２ｆとが設けられている。なお、前カバー２１の貫通穴部２１ｄ，２１ｆと後カバー２２の貫通穴部２２ｃ，２２ｄ，２２ｅ，２２ｆとは、結合ピン２４，２５に対して挿通可能な穴部とするが、圧入寸法の穴部であってもよい。
【００３２】
上記後蓋２３は、上記フィルム装填用開口部２２ａの閉鎖位置と開放位置に上記結合ピン２４を回転軸として回動可能な蓋部材であり、組み合わせ状態で上記穴部２２ｃ，２２ｄに対向する同一軸穴部であって、結合ピン２４が回動可能に嵌合する貫通穴部２３ｃ，２３ｄと、装填されたフィルムの確認用のパトローネ窓２３ａと、上記閉鎖状態を保持するための周知のロック機構の爪部等が設けられている。
【００３３】
上記電池蓋２６は、前カバー２１の電池蓋開口部２１ｈの閉鎖位置と開放位置に上記結合ピン２５を回転軸として回動可能な蓋部材であり、組み合わせ状態で上記穴部２２ｅ，２２ｆに対向する同一軸穴部であって、結合ピン２５が回動可能に嵌合する貫通穴部２６ａと、上記閉鎖状態を保持するための周知のロック機構の爪部等が設けられている。
【００３４】
上述のカメラの外装カバー装置を組み立てるには、まず、図示しないカメラ本体やレンズ鏡筒を組み付けた前カバー２１の背面側に後カバー２２と後蓋２３を重ね合わせる。その状態で同一軸上に沿った前カバーの穴部２１ｄと後カバーの穴部２２ｃ，２２ｄと後蓋の穴部２３ｃ，２３ｄに穴部２１ｄ側から結合ピン２４をガタのない状態で挿入し、先端部を前カバーの穴部２１ｃに圧入して固定する。
【００３５】
続いて、後カバー２２の上述と異なる側に電池蓋２６を嵌め合わせる。その状態で同一軸上に沿った前カバーの穴部２１ｆと後カバーの穴部２２ｅ，２２ｆと後蓋の穴部２３ｃ，２３ｄと電池蓋の穴部２６ａとに上記穴部２１ｆ側から結合ピン２５をガタのない状態で挿入し、先端部を前カバーの穴部２１ｅに圧入して固定する。
【００３６】
この組み付けにより前カバー２１と後カバー２２とが一体固着され、後蓋２３が上記後カバー２２に対して結合ピン２４によりフィルム装填開口部２２ａの閉鎖、または、開放位置に回動可能状態で取り付けられ、さらに、結合ピン２５により電池蓋２６が上記後カバー２２に対して電池蓋開口部２６ｈの閉鎖、または、開放位置に回動可能状態で取り付けられ、外装カバー装置として完成される。
【００３７】
本実施形態の外装カバー装置によれば、ビスを用いずに２本の結合ピン２４，２５のみで前カバー２１と後カバー２２を固定し、かつ、後カバー２２に後蓋２３、および、電池蓋２６を回動可能に取り付けることができ、ビスの締め付け作業が不要となり、組み付けが容易になる。同時にカバー内部にビスの配設スペ−スを設ける必要がなく、装置の小型化が可能となる。
【００３８】
なお、上記後蓋２３、または、上記電池蓋２６は、他の蓋部材、例えば、情報記録カードの着脱用開口部を開閉するための蓋部材や操作釦を隠すための蓋部材等の何れの蓋部材であってもよい。
【００３９】
上述の実施形態に基づいて、
（１）  カメラ本体を覆う、一対の筐体と、上記一対の筐体の組み付け方向と略直交方向の軸心回りに回動自在な蓋部材と、上記蓋部材の回転軸となる軸部材とを有する筐体装置において、
上記一対の筐体及び蓋部材には上記軸部材が挿通する軸穴部が設けられ、上記軸部材が上記一対の筐体、および、蓋部材の上記軸穴部に挿通されており、上記蓋部材は、上記カメラ本体にフィルムを出し入れするための開口部を開閉する蓋、もしくは、電池を出し入れするための開口部を開閉する蓋であることを特徴とする筐体装置を提案することができる。
【００４０】
（２）  カメラ本体を覆う、一対の筐体と、上記一対の筐体の組み付け方向と略直交方向の軸心回りに回動自在な蓋部材と、上記蓋部材の回転軸となる軸部材とを有する筐体装置において、
上記一対の筐体及び蓋部材には上記軸部材が挿通する軸穴部が設けられ、上記軸部材が上記一対の筐体、および、蓋部材の上記穴部に挿通されており、上記蓋部材は、記録媒体を出し入れするための開口部を開閉する蓋、もしくは、電池を出し入れするための開口部を開閉する蓋、もしくは、操作部を隠すための隠し蓋のうちの少なくとも１つであることを特徴とする筐体装置を提案することができる。
【００４１】
【発明の効果】
上述のように本発明によれば、筐体を固定するためのビスの使用本数を削減もしくは廃止することができ、組み立て易くすると共に装置の小型化が可能となる筐体装置を提供することができる。
【図面の簡単な説明】
【図１】本発明の第１の実施形態の筐体装置である外装カバー装置の分解斜視図。
【図２】上記第１の実施形態の外装カバー装置の背面図。
【図３】本発明の第２の実施形態の筐体装置である外装カバー装置の分解斜視図。
【図４】上記第２の実施形態の外装カバー装置の背面図。
【図５】本発明の第３の実施形態の筐体装置である外装カバー装置の分解斜視図。
【図６】上記第３の実施形態の外装カバー装置の背面図。
【符号の説明】
１，１１，２１
……前カバー（一対の筐体）
２，１２，２２
……後カバー（一対の筐体）
４，１４，１５，２４，２５
……結合ピン（軸部材）
１ｃ，１１ｃ，１１ｅ，２１ｃ，２１ｅ
……圧入穴部（軸穴部）
１ｄ，２ｃ，２ｄ，３ｃ，３ｄ，１１ｄ，
１１ｆ，１２ｃ，１２ｄ，１２ｅ，１２ｆ，
１３ｃ，１３ｄ，２１ｄ，２１ｆ，２２ｃ，
２２ｄ，２２ｅ，２２ｆ，２３ｃ，２３ｄ，
２６ａ
……貫通穴部（軸穴部）
【図１】
0004163324.tif 000002
【図２】
0004163324.tif 000003
【図３】
0004163324.tif 000004
【図４】
0004163324.tif 000005
【図５】
0004163324.tif 000006
【図６】
0004163324.tif 000007